(57)【要約】【課題】手洗器の上面と機能部ユニットとの間で汚れが生じた場合であっても、これを良好に且つ簡単に掃除することのできる自動手洗乾燥装置を提供する。【解決手段】石鹸液の吐出口，手洗水の吐水口３８，手乾燥用の温風の吹出口を備え、人体検知センサによる人体検知に基づいてそれぞれから石鹸液の吐出，手洗水の吐水，温風の吹出しを自動的に行うようにした自動手洗乾燥装置１０において、手洗器１２の上面に機能部ユニット１６を設置するとともに、機能部ユニット１６をリフトアップさせて機能部ユニット１６と手洗器１２の上面との間に掃除可能な空間を生ぜしめるリフトアップ機構１１２を設ける。【選択図】        図７
2006255232.tif 000002
【特許請求の範囲】
【請求項１】
石鹸液の吐出口，手洗水の吐水口，手乾燥用の温風の吹出口を備え、人体検知センサによる人体検知に基づいてそれぞれから石鹸液の吐出，手洗水の吐水，温風の吹出しを自動的に行うようにした自動手洗乾燥装置において、
手洗器の上面に機能部ユニットを設置するとともに、該機能部ユニットをリフトアップさせて該機能部ユニットと手洗器の上面との間に掃除可能な空間を生ぜしめるリフトアップ機構を設けたことを特徴とする自動手洗乾燥装置。
【請求項２】
請求項１において、前記リフトアップ機構が、前記機能部ユニットに対し上向きの付勢力を及ぼす付勢手段と、該付勢手段の付勢力に抗して該機能部ユニットを下降位置にロックするロック手段とを有しており、手動で該ロック手段によるロックを解除することで該機能部ユニットを前記付勢手段の付勢力でリフトアップさせるものであることを特徴とする自動手洗乾燥装置。
【請求項３】
請求項１において、前記リフトアップ機構が駆動モータを備えており、該駆動モータにて前記機能部ユニットを自動的に昇降させるものであることを特徴とする自動手洗乾燥装置。
【請求項４】
請求項１〜３の何れかにおいて、前記機能部ユニットのケースの底部と手洗器とを上下に貫通する配管及び／又は配線を前記機能部ユニットの昇降時に案内するガイドが設けてあることを特徴とする自動手洗乾燥装置。
【発明の詳細な説明】
【技術分野】
【０００１】
この発明は人体検知センサによる人体検知に基づいて石鹸液の吐出，手洗水の吐水，手乾燥用の温風の吹出しを自動的に行う自動手洗乾燥装置に関する。
【背景技術】
【０００２】
従来、石鹸液の吐出口，手洗水の吐水口，手乾燥用の温風の吹出口を備え、人体検知センサによる人体検知に基づいてそれぞれから石鹸液の吐出，手洗水の吐水，温風の吹出しを自動的に行うようにした自動手洗乾燥装置が公知である。
例えば下記特許文献１にこの種の自動手洗乾燥装置として、機能部ユニットに石鹸液の吐出口，手洗水の吐水口，温風の吹出口を備え、それぞれの前方に手を差し出すとそれら吐出口，吐水口，吹出口に近接して配置した、対応する人体検知センサによる人体検知に基づいて自動的に石鹸液の吐出，手洗水の吐水，手乾燥用の温風の吹出しをなすようにした自動手洗乾燥装置が開示されている。
【０００３】
この自動手洗乾燥装置において、機能部ユニットを手洗器の上面に載置状態に設置することが考えられるが、この場合機能部ユニット、詳しくは機能部ユニットのケースと手洗器の上面との間に水やごみ等の異物が入り込んで汚れが生じたとき、その汚れを清掃除去することが実際上できないといった問題がある。
もっとも機能部ユニットを一旦手洗器の上面から取り外して汚れを清掃除去するといったことも一応は可能であるが、ユーザーがこれを行うことは実際的には困難である。
【０００４】
【特許文献１】特許第２６５６２８９号公報
【発明の開示】
【発明が解決しようとする課題】
【０００５】
本発明は以上のような事情を背景とし、機能部ユニットと手洗器の上面との間で汚れが生じた場合であっても、これを良好に且つ簡単に清掃除去することのできる自動手洗乾燥装置を提供することを目的としてなされたものである。
【課題を解決するための手段】
【０００６】
而して請求項１のものは、石鹸液の吐出口，手洗水の吐水口，手乾燥用の温風の吹出口を備え、人体検知センサによる人体検知に基づいてそれぞれから石鹸液の吐出，手洗水の吐水，温風の吹出しを自動的に行うようにした自動手洗乾燥装置において、手洗器の上面に機能部ユニットを設置するとともに、該機能部ユニットをリフトアップさせて該機能部ユニットと手洗器の上面との間に掃除可能な空間を生ぜしめるリフトアップ機構を設けたことを特徴とする。
【０００７】
請求項２のものは、請求項１において、前記リフトアップ機構が、前記機能部ユニットに対し上向きの付勢力を及ぼす付勢手段と、該付勢手段の付勢力に抗して該機能部ユニットを下降位置にロックするロック手段とを有しており、手動で該ロック手段によるロックを解除することで該機能部ユニットを前記付勢手段の付勢力でリフトアップさせるものであることを特徴とする。
【０００８】
請求項３のものは、請求項１において、前記リフトアップ機構が駆動モータを備えており、該駆動モータにて前記機能部ユニットを自動的に昇降させるものであることを特徴とする。
【０００９】
請求項４のものは、請求項１〜３の何れかにおいて、前記機能部ユニットのケースの底部と手洗器とを上下に貫通する配管及び／又は配線を前記機能部ユニットの昇降時に案内するガイドが設けてあることを特徴とする。
【発明の作用・効果】
【００１０】
以上のように本発明は、手洗器の上面に設置した機能部ユニットをリフトアップさせるリフトアップ機構を設けたもので、本発明によれば、機能部ユニット設置状態で手洗器の上面、詳しくは手洗器における機能部ユニットの設置面と機能部ユニットとの間で汚れが生じた場合、リフトアップ機構を働かせて機能部ユニットと手洗器の上面との間に空間を生ぜしめることで、汚れを容易に清掃除去することができる。
これにより機能部ユニットと手洗器の上面との間を常に清潔に保つことができる。
【００１１】
この場合において、リフトアップ機構は機能部ユニットに対し上向きの付勢力を及ぼす付勢手段と、機能部ユニットを下降位置、即ち設置位置にロックするロック手段とを有し、手動でロック手段によるロックを外すことで機能部ユニットを付勢手段の付勢力で自動的にリフトアップさせるものとなしておくことができる（請求項２）。
このようにすれば、必要なときに簡単に機能部ユニットをリフトアップさせて汚れを清掃除去することができる。
【００１２】
一方、そのリフトアップ機構を駆動モータを備えたものとなし、駆動モータにて機能部ユニットを自動的に昇降させるものとなしておくことができる（請求項３）。
この場合には更に容易に機能部ユニットをリフトアップさせて、汚れを清掃除去することができる。
またその後において駆動モータの駆動により簡単に機能部ユニットを、その設置位置である下降位置まで下降させることができる。
【００１３】
ところで、機能部ユニットにおけるケースの底部と手洗器とを上下に貫通する状態で配管や配線等が設けられている場合、機能部ユニットを昇降させると、特にリフトアップさせた状態から再び下降させて手洗器の上面に設置する際、配管や配線が挟まれてしまう恐れが生ずる。
ここにおいて請求項４は、機能部ユニットのケースの底部と手洗器とを上下に貫通する配管及び／又は配線を機能部ユニットの昇降時に案内するガイドを設けたもので、このようにしておけば、機能部ユニットの昇降に起因して、それら配管或いは配線が挟まれてしまう問題を良好に解決することができる。
【発明を実施するための最良の形態】
【００１４】
次に本発明の実施形態を図面に基づいて詳しく説明する。
図１において、１０は自動手洗乾燥装置（ここでは壁掛式）で、陶器製の手洗器１２と、その下部のキャビネット１４及び手洗器１２に設置された機能部ユニット１６とを有している。
機能部ユニット１６はケース１８を有しており、各種機能部がそこに内蔵されている。
ここでケース１８は、ケース本体としての下ケース１８Ａと、その上端の開口を閉鎖する上蓋１８Ｂとを有している。
【００１５】
手洗器１２の上面の後部には、図２及び図３に示しているようにその後端部に沿って左右方向に延びる立上り形状の後壁部２４と、左右の側部に沿って前後方向に延びる一対の立上り形状の側壁部２６が設けられ、その内側にそれら後壁部２４，一対の側壁部２６にて囲まれた収納凹部２８が形成されている。
そして図３に示しているように、その収納凹部２８に上記の機能部ユニット１６即ちケース１８が収納されている。
【００１６】
機能部ユニット１６は、その後面と側面とがそれぞれ後壁部２４と左右一対の側壁部２６とで囲われており、その前面が手洗器１２のボウル部（水受凹部）３２に向けて開放されている。
ここで収納凹部２８の底部は、機能部ユニット１６を支持する支持部３０とされ、その上面が平坦な設置面（載置面）とされている。
尚図１において、３４はボウル部３２に設けられた排水口である。
【００１７】
図１に示しているように、機能部ユニット１６におけるケース１８の前面壁２０には、石鹸液の吐出口４０と対応する人体検知センサ４６，手洗水の吐水口３８と対応する人体検知センサ４４、及び手乾燥用の温風を吹き出す吹出口３６と対応する人体検知サンサ４２が設けられている。
ここで吐出口４０，吐水口３８及び吹出口３６は、それぞれケース１８の前面壁２０から突出する形態で設けられている。
また吹出口３６は、吹出ノズル４８の先端に左右に細長いスリット状に形成されている。
【００１８】
この自動手洗乾燥装置１０では、石鹸液の吐出口４０の前方に手を差し出すと、人体検知センサ４６がこれを検知して吐出口４０から自動的にムース状の石鹸液（石鹸液に空気を混合して泡状としたもの）を吐出する。
また吐水口３８の前方に手を差し出すと、人体検知センサ４４がこれを検知して吐水口３８から自動的に手洗水としての温水を吐水する。
更に吹出口３６の前方に濡れた手を差し出すと、人体検知センサ４２がこれを検知して吹出口３６から自動的に温風を吹き出し、濡れた手を乾燥させる。
【００１９】
図１に示しているように、キャビネット１４の内部には排水管５０が設けられており、その上端がボウル部３２の排水口３４に接続されている。
ボウル部３２からの排水は、この排水管５０のトラップ部５２を経て外部に排出される。
【００２０】
キャビネット１４にはまた、その内部且つ下部に石鹸液タンク６０が設けられており、そこに所定量の石鹸液（水石鹸液）が貯溜されるようになっている。
この石鹸液タンク６０からは可撓性の給液管６２が延び出しており、その給液管６２上に給液ポンプ６４が設けられている。
石鹸液タンク６０内の石鹸液は、この給液ポンプ６４により給液管６２を通じて上記の石鹸液の吐出口４０へと送られる。
７０は空気ポンプで、この空気ポンプ７０により空気が可撓性の給気管６８を通じて上記石鹸液の吐出口４０に向けて送られる。
石鹸液はこの空気とともに混合されてムース状とされ、吐出口４０からボウル部３２に向けて吐出される。
【００２１】
尚、ケース１８の前面壁２０には石鹸液の補給を行うための補給口２２が設けられており、この補給口２２と石鹸液タンク６０とが可撓性の補給管６６で連絡されている。
この補給口２２には引出容器８６が前後に出入れ可能に設けられており、石鹸液の補給は、この引出容器８６を引き出した状態でその上面の注入口に対して石鹸液を注入することにより行う。
【００２２】
キャビネット１４の内部にはまた湯水の混合部５４と、温水の供給遮断を行う電磁弁５６とが設けられており、その混合部５４に対し冷水と湯とを供給する配管が接続されている。
混合部５４に供給された冷水と湯とは、ここで所定比率に混合されて適温の混合水とされ、電磁弁５６の開弁により給水管５８を通じて吐水口３８へと送られて、そこからボウル部３２に向けて吐水される。
【００２３】
キャビネット１４の内部には更に、ケース７２の内部に送風機及びヒータを収容した乾燥機本体３５が設けられており、この乾燥機本体３５から可撓性の送風管７４が上向きに延び出している。
この乾燥機本体３５のケース７２には吸気口７６が設けられており、この吸気口７６から吸入された空気がヒータの加熱作用で温風とされて、送風機による送風作用で送風管７４を通じて吹出口３６へと送られる。
図２に示しているように、吹出ノズル４８は吹出室ケース７８に一体的に設けられている。
【００２４】
尚、図２に示しているように機能部ユニット１６の内部、即ちケース１８の内部には、自動手洗乾燥装置１０の動作制御をなす制御基盤８０と、電源電圧を変圧する電源トランス８２が設けられている。これらは上蓋１８Ｂの下面に吊下状態に固定されている。
【００２５】
尚図２において、８８は上記の引出容器８６を出入れ可能に保持する引出ケースで、この引出ケース８８と、上記の吹出室ケース７８とには、下向きの接続管９０，９２が一体に形成されており、そこに可撓性の補給管６６，送風管７４の上端部が接続されている。
そしてケース１８の底部９４には、接続管９２及び送風管７４から成る配管９６を上下に貫通させる貫通穴１００と、給水管５８，給液管６２等の配管９８を上下に貫通させる貫通穴１０２と、引出ケース８８に一体に形成された接続管９０及び補給管６６から成る配管９９を上下に貫通させる貫通穴１０４とが設けられている。
【００２６】
また手洗器１２における支持部３０には、ケース１８の貫通穴１００，１０２及び１０４にそれぞれ対応する位置において、同様に貫通穴１０６，１０８及び１１０が設けられている。
尚、ケース１８の底部９４の貫通穴１０２及び対応する手洗器１２の貫通穴１０８には、上記配管９８と併せて制御基盤８０と乾燥機本体３５，給液ポンプ６４等とを電気的に接続する電気配線（図示省略）も挿通されている。
【００２７】
図２及び図３に示しているように、ケース１８と手洗器１２との間、詳しくは手洗器１２における支持部３０との間には、図４に示すリフトアップ機構１１２におけるプレート状の本体部１１４が介装されている。
ここで本体部１１４は、略水平な横板部１１６と、その後端から起立する縦板部１１８とを有しており、その横板部１１６にガイド管１２０，１２２，１２４が設けられている。
【００２８】
ここでガイド管１２０は、ケース１８及び手洗器１２における図２中右側の貫通穴１００，１０６に対応する位置に設けられており、またガイド管１２２は、図２中左右中間部の貫通穴１０２及び１０８に対応する位置に、更にガイド管１２４は、図２中左側の貫通穴１０４及び１１０に対応する位置に設けられている。
これら各ガイド管１２０，１２２，１２４は上端及び下端が開口形状をなしている。
ここでガイド管１２０は機能部ユニット１６、即ちケース１８の昇降時に図２の配管９６の案内をなすものであり、またガイド管１２２は、図２の配管９８及び図示を省略する電気配線の案内をなすものであり、更にガイド管１２４は図２の配管９９の案内をなすものである。
尚これらガイド管１２０，１２２，１２４は、それぞれ手洗器１２側の貫通穴１０６，１０８，１１０にそれぞれ下向きに挿通されている。
【００２９】
図４に示しているように、この本体部１１４には平面形状がコ字形状をなす昇降部材１２６が昇降可能に設けられている。
本実施形態において、昇降部材１２６はプレート状をなしており、左右一対のリフトアーム１２８と、それらを連結する連結部１３０とを有しており、図３に示しているようにケース１８における底部９４と手洗器１２における支持部３０の上面との間に、後方から前方（図３中右方から左方）に挿し込まれている。
【００３０】
本体部１１４の左右中間部にはボックス１３２が設けられており（図４参照）、その内部にリフトアップばね（付勢手段）１３４が設けられている。
このリフトアップばね１３４は、図６にも示しているようにばね鋼板１３６をドラムにぜんまい式に巻き付けたもので、ばね鋼板１３６の端部を常にドラム側に引込む力が働いている。
このリフトアップばね１３４におけるばね鋼板１３６の端部は上記の昇降部材１２６に連結されており、従って昇降部材１２６に対してこのリフトアップばね１３４による上向きの付勢力が常に働いている。
【００３１】
図４及び図５に示しているようにケース１８、具体的には下ケース１８Ａには、これを前後方向に貫通する状態で一対のロックバー（ロック手段）１３８が設けられている。
これらロックバー１３８はケース１８、即ち機能部ユニット１６を下降位置、つまり設置位置にロックする働きをなすもので、図５に示しているようにそれぞれの奥側の端部が、下ケース１８Ａの後壁を貫通してリフトアップ機構１１２における本体部１１４の縦板部１１８のロック孔（ロック手段）１４０に挿入係止されている。
【００３２】
これら一対のロックバー１３８は、図５に示しているようにばね（ここではコイルばね）１４２にて常時後方向き、即ち奥側の端部をロック孔１４０に挿入係止させる方向に付勢されている。
これらロックバー１３８の前端部には、下向きに折れ曲がった形態の摘み１４４が設けられており、これら摘み１４４を手前（前方）に引くと、各ロックバー１３８がばね１４２の付勢力に抗して前方に引き出され、ここにおいてロックバー１３８が本体部１１４のロック孔１４０から抜き出され、ロックバー１３８によるロックが解除される。
【００３３】
図７は本実施形態のリフトアップ機構１１２の作用を表したもので、図７（Ｉ）に示しているように機能部ユニット１６が下降位置にある状態でロックバー１３８の摘み１４４を摘んでロックバー１３８を前方に引き出すと、ここにおいてロックバー１３８によるロックが解除される。
すると図７（II）に示しているように機能部ユニット１６即ちケース１８全体が、リフトアップばね１３４の図中上向きの引込力即ち上向きの付勢力によって所定量手洗器１２の支持部３０からリフトアップする。
ここにおいて支持部３０の上面とケース１８の下面との間に大きな空間が生じ、従ってこの状態で手洗器１２の支持部３０と機能部ユニット１６との間に生じた汚れ、例えば支持部３０の上面やケース１８の下面等に生じた汚れを簡単に清掃除去することができる。
【００３４】
而して清掃除去が済んだところで機能部ユニット１６をリフトアップばね１３４の付勢力に抗して下向きに押し込み、当初の位置まで下降させた上（このときロックバー１３８は手前に引き出した状態としておく）、ロックバー１３８の摘み１４４を離すと、ばね１４２の付勢力でロックバー１３８が図５及び図７中右方向、即ち後方に押し戻され、後端部が再び本体部１１４のロック孔１４０に挿し込まれて、それらロック孔１４０に挿入係止した状態となる。
ここにおいて機能部ユニット１６が再び当初の設置位置即ち下降位置にロックされた状態となる。
尚機能部ユニット１６の昇降時に、配管９６，９８，９９や電気配線等も同時に昇降するが、その際それら配管や配線はガイド管１２０，１２２，１２４にて良好に昇降案内される。
【００３５】
以上のような本実施形態によれば、機能部ユニット１６の設置状態で、機能部ユニット１６と手洗器１２の上面（支持部３０の上面）との間に汚れが生じても、リフトアップ機構１１２を働かせて機能部ユニット１６と支持部３０の上面との間に空間を生ぜしめることで、汚れを容易に清掃除去することができる。
これにより機能部ユニット１６と手洗器１２の上面との間を常に清潔に保つことができる。
【００３６】
また本実施形態によれば、手動でロックバー１３８によるロックを解除することで、機能部ユニット１６をリフトアップばね１３４の付勢力で自動的にリフトアップをさせることができ、必要なときに簡単に機能部ユニット１６と手洗器１２との間の部分を掃除することができる。
【００３７】
更に本実施形態では、機能部ユニット１６のケース１８の底部９４と手洗器１２とを上下に貫通する配管９６，９８，９９及び図示しない電気配線を案内するガイド管１２０，１２２，１２４を本体部１１４に設けてあるため、機能部ユニット１６の昇降に起因して、それら配管９６，９８，９９或いは電気配線が挟まれてしまう問題を良好に解決することができる。
【００３８】
図８は本発明の他の実施形態を示している。
この例はリフトアップ機構１１２の駆動源として、駆動モータ１４６をボックス１３２の内部に設け、この駆動モータ１４６による駆動力にて、昇降部材１２６を昇降させるようになした例である。
尚ここでは駆動モータ１４６にて駆動軸１４８を回転運動させ、その駆動軸１４８に設けた雄ねじと、昇降部材１２６に設けた雌ねじとの螺合作用で昇降部材１２６を昇降させるようにしているが、他の様々な運動伝達機構を用いて駆動モータ１４６の回転駆動力を昇降部材１２６の昇降力に変換し、機能部ユニット１６を昇降させるようになすことが可能である。
【００３９】
本実施形態によれば、更に容易に機能部ユニット１６をリフトアップさせて汚れを清掃除去することができる。
またその後において駆動モータ１４６の駆動により簡単に機能部ユニット１６を、その設置位置である下降位置まで下降させることができる。
【００４０】
以上本発明の実施形態を詳述したがこれらはあくまで一例示であり、本発明はその趣旨を逸脱しない範囲において種々変更を加えた形態で構成可能である。
【図面の簡単な説明】
【００４１】
【図１】本発明の一実施形態である自動手洗乾燥装置の全体を示す正面図である。
【図２】図１の機能部ユニットを分解して示す図である。
【図３】同実施形態のリフトアップ機構を周辺部とともに示す図である。
【図４】同リフトアップ機構の全体を下ケースとともに示す斜視図である。
【図５】同リフトアップ機構におけるロック手段と周辺部を示す図である。
【図６】図３のリフトアップばねと周辺部を拡大して示す図である。
【図７】同リフトアップ機構の作用説明図である。
【図８】本発明の他の実施形態を示す図である。
【符号の説明】
【００４２】
１０  自動手洗乾燥装置
１２  手洗器
１６  機能部ユニット
１８  ケース
１８Ａ  下ケース
３０  支持部
３６  吹出口
３８  吐水口
４０  吐出口
４２，４４，４６  人体検知センサ
９４  底部
９６，９８，９９  配管
１１２  リフトアップ機構
１２０，１２２，１２４  ガイド管
１３４  リフトアップばね（付勢手段）
１３８  ロックバー（ロック手段）
１４０  ロック孔（ロック手段）
１４６  駆動モータ
【図１】
2006255232.tif 000003
【図２】
2006255232.tif 000004
【図３】
2006255232.tif 000005
【図４】
2006255232.tif 000006
【図５】
2006255232.tif 000007
【図６】
2006255232.tif 000008
【図７】
2006255232.tif 000009
【図８】
2006255232.tif 000010